(57)【特許請求の範囲】
【請求項１】
給湯器を有し、温水を循環させる温水暖房器において、給湯器の出湯側に接続された暖房往き管路に設けられ、凍結予防温度に低下したことを検出すると凍結防止運転を開始する暖房温度サーミスタと、燃焼運転終了時に起動する燃焼後タイマとを備え、燃焼運転終了後に設定時間経過する前は、凍結予防温度を嵩上げした高い凍結予防温度を採用することを特徴とする温水暖房器の凍結予防装置。
【請求項２】
暖房運転終了時にのみ燃焼後タイマを起動させることを特徴とする請求項１記載の温水暖房器の凍結予防装置。
【発明の詳細な説明】
【０００１】
【発明の属する技術分野】
本発明は、温水暖房器の凍結予防装置、特に凍結防止の燃焼運転を行なう温水暖房器の凍結予防装置に関する。
【０００２】
【従来の技術】
従来、温水暖房器においては、適所に設置された雰囲気温度検出サーミスタ（Ｆ点サーミスタ）を有し、雰囲気温度が低下したことを検出して、凍結防止運転を行うものが用いられている。
例えば、図６に示すように、従来の温水暖房器は、給湯器１を有し、給湯器１の熱交換器２の出口側に暖房往き管路３が接続され、熱交換器２の入口側に暖房戻り管路４が接続され、両管路３，４の端部には水抜き栓３１，４１が設けられている。
暖房戻り管路４には循環ポンプ５と膨張タンク７が設けられ、水抜き栓６１を有する水抜き管６が分岐されており、膨張タンク７は補水管７１と、オーバーフロー管７２と、水位検出電極７３とを備えている。
点火電極９と火炎検出電極１０とを有する燃焼器８にはガス管路８１が接続され、ガス管路８１にはガスガバナ１２と、ガス電磁弁１３が設けられている。
コンピュータ等の制御装置１４が設けられ、暖房往き管路３に設けられた暖房温度サーミスタ（高温サーミスタ）１５及び空焚き安全装置１６と、給湯器１の下部に連通された燃焼ファン１１に設けられた回転数センサ１７と、給湯器１のケーシングに近接して設けられた過熱防止装置１８と、給湯器１のケーシング外の適所に設けられて雰囲気温度を検出する雰囲気温度検出サーミスタ（Ｆ点サーミスタ）１９とが制御装置１４に接続されている。
【０００３】
凍結防止動作について説明すると、図４において、雰囲気温度検出サーミスタ１９の検出温度ｔが凍結予防温度ｔｏ  （例えば、ｔｏ  ＝７℃）以下であるか、または暖房温度サーミスタ１５の検出温度Ｔが凍結予防温度ｔ１  （例えば、ｔ１  ＝７℃）以下である場合、循環ポンプ５をオンさせて運転を開始するとともに、燃焼器８の燃焼を開始して凍結防止運転を開始し、暖房温度サーミスタ１５の検出温度Ｔが予め設定された凍結防止設定温度ｔｓ  （例えば、ｔｓ  ＝１９℃）以上となったことを確認し、燃焼器８をオフさせて燃焼を停止させる一方、循環ポンプ５の運転を継続するポストポンプ運転に移行し、所定時間ｓ（例えば、ｓ＝５分）経過すると、循環ポンプ５の運転を停止させて凍結防止運転を終了させ、雰囲気温度検出サーミスタ１９の検出温度ｔが凍結予防温度ｔｏ  以下になるか、または暖房温度サーミスタ１５の検出温度Ｔが凍結予防温度ｔ１  以下になると再度凍結防止運転を開始する。
【０００４】
また、暖房運転によって暖房温度サーミスタ１５が加熱された場合に、暖房温度サーミスタ１５の冷却に時間がかかり、暖房温度サーミスタ１５が温度低下を検出できず、雰囲気温度検出サーミスタ１９の存在が不可欠であるから、雰囲気温度検出サーミスタ１９を省略する場合、燃焼終了後に起動する燃焼後タイマを設け、燃焼終了後に予め設定した設定時間Ｓ（例えば、Ｓ＝９０分）が経過するまでの間、即ち燃焼終了後設定時間Ｓ（Ｓ＝９０分）の間は、凍結防止設定温度ｔｓ  を高い値ｔｓ１に変更して嵩上げすることにより、暖房運転によって暖房温度サーミスタ１５が加熱された場合に、暖房温度サーミスタ１５の冷却に時間がかかっても凍結防止運転を開始することができるものが知られている。
【０００５】
【発明が解決しようとする課題】
しかしながら、上記従来の温水暖房器の凍結予防装置には次のような問題があった。
雰囲気温度検出サーミスタが必要であるため、コストの上昇を防ぐことが困難であり、雰囲気温度検出サーミスタを取り除くと、暖房運転終了後に暖房温度サーミスタが冷却しにくく、凍結防止運転が行なわれず、暖房金具等が凍ってしまう温度になるという問題があった。
また、図５に示すように、燃焼終了後Ｓ（Ｓ＝９０分）の間、凍結防止設定温度ｔｓ  を高い値ｔｓ１に変更して嵩上げすると、通常の暖房運転以外に凍結防止運転の燃焼後も凍結防止運転を繰り返すことになり、凍結防止運転が不必要な場合も凍結防止運転に移行する恐れがあるという問題があった。
【０００６】
本発明の目的は、雰囲気温度検出サーミスタを不要として構成を簡略化するとともに、凍結予防温度を高い値に変更して嵩上げしても不必要な凍結防止運転を行なわない温水暖房器の凍結予防装置を提供することである。
【０００７】
【課題を解決するための手段】
上記目的を達成するために本発明の温水暖房器の凍結予防装置は、給湯器を有し、温水を循環させる温水暖房器において、給湯器の出湯側に接続された暖房往き管路に設けられ、凍結予防温度に低下したことを検出すると凍結防止運転を開始する暖房温度サーミスタと、燃焼運転終了時に起動する燃焼後タイマとを備え、燃焼運転終了後に設定時間経過する前は、凍結予防温度を嵩上げした高い凍結予防温度を採用することにより、燃焼運転終了後に設定時間が経過する前は、凍結防止運転の開始温度即ち嵩上げされた凍結予防温度を採用することにより、燃焼運転終了後に暖房温度サーミスタ１５の冷却に時間がかかる場合でも、速やかに凍結防止運転を開始できる。
また、凍結予防温度を嵩上げした凍結予防温度を採用することで、凍結防止運転に移行し易くなるから、設定時間を短くすることができる。
また、暖房運転終了時にのみ燃焼後タイマを起動させることにより、不必要な凍結防止運転を開始する恐れがない。
【０００８】
【発明の実施の形態】
図３において、本発明を適用する温水暖房装置の概略構成について説明する。給湯器１を有し、給湯器１の熱交換器２の出口側に暖房往き管路３が接続され、熱交換器２の入口側に暖房戻り管路４が接続され、両管路３，４の端部には水抜き栓３１，４１が設けられている。
暖房戻り管路４には循環ポンプ５と膨張タンク７が設けられ、水抜き栓６１を有する水抜き管６が分岐されており、膨張タンク７は補水管７１と、オーバーフロー管７２と、水位検出電極７３とを備えている。
点火電極９と火炎検出電極１０とを有する燃焼器８にはガス管路８１が接続され、ガス管路８１にはガスガバナ１２と、ガス電磁弁１３が設けられており、点火プラグ９と火炎検出電極１０とが設けられている。
【０００９】
コンピュータ等の制御装置１４が設けられ、暖房往き管路３に設けられた暖房温度サーミスタ（高温サーミスタ）１５及び空焚き安全装置１６と、給湯器１の下部に連通された燃焼ファン１１に設けられた回転数センサ１７と、給湯器１のケーシングに近接して設けられた過熱防止装置１８とが制御装置１４に接続されている。
なお、図示していないが、燃焼運転終了時に起動する燃焼後タイマを設け、燃焼運転終了後の設定時間Ｓを計測し、図２に示すように、特に通常の暖房運転終了時にのみ起動し、凍結防止運転終了時には起動させないものとすることによって、不必要な凍結防止運転を防止することができる。
【００１０】
図１のフローチャートを参照して動作を説明すると、前回燃焼運転終了から設定時間Ｓ（例えば、Ｓ＝９０分）が経過したことを判定し、設定時間Ｓ（Ｓ＝９０分）が経過した場合、通常運転を行い、暖房温度サーミスタ１５の検出温度Ｔが、予め定めた凍結予防温度ｔｏ  （例えば、ｔｏ  ＝７℃）以下になると、循環ポンプ５がオンして凍結防止運転が開始され、暖房温度サーミスタ１５の検出温度Ｔが予め設定された凍結防止設定温度ｔｓ  （例えば、ｔｓ  ＝１９℃）以上となったことを確認し、燃焼器８をオフさせて燃焼を停止させる一方、循環ポンプ５の運転を継続するポストポンプ運転に移行し、所定時間ｓ（例えば、ｓ＝５分）が経過すると、循環ポンプ５の運転を停止させて凍結防止運転を終了させる。
【００１１】
また、前回暖房運転終了から設定時間Ｓ（Ｓ＝９０分）が経過する前は、凍結予防温度ｔｏ  を予め定めた値だけ嵩上げし、暖房温度サーミスタ１５の検出温度Ｔが、通常の場合よりも嵩上げされた凍結予防温度ｔｏ１（ｔｏ１＝１９℃）以下になると、循環ポンプ５がオンして凍結防止運転が開始され、暖房温度サーミスタ１５の検出温度Ｔが予め設定された凍結防止設定温度ｔｓ  （ｔｓ  ＝１９℃）以上となったことを確認し、燃焼器８をオフさせて燃焼を停止させる一方、循環ポンプ５の運転を継続するポストポンプ運転に移行し、所定時間ｓ（ｓ＝５分）が経過すると、循環ポンプ５の運転を停止させて凍結防止運転を終了させる。
【００１２】
この構成によると、燃焼運転終了後に設定時間Ｓ（Ｓ＝９０分）が経過する前は、凍結防止運転の開始温度即ち嵩上げされた凍結予防温度ｔｏ１（ｔｏ１＝１９℃）を採用することにより、燃焼運転終了後に暖房温度サーミスタ１５の冷却に時間がかかる場合でも、速やかに凍結防止運転を開始する。
また、凍結予防温度ｔｏ  を嵩上げした凍結予防温度ｔｏ１を採用することで、凍結防止運転に移行し易くなるから、設定時間Ｓを短くすることができる。
さらに、暖房運転終了時のみ燃焼後タイマを起動させ、凍結防止のための燃焼では起動させないために、不必要な凍結防止運転を開始する恐れがない。
【００１３】
【発明の効果】
本発明は、上述のとおり構成されているから次に述べる効果を奏する。
給湯器を有し、温水を循環させる温水暖房器において、給湯器の出湯側に接続された暖房往き管路に設けられ、凍結予防温度に低下したことを検出すると凍結防止運転を開始する暖房温度サーミスタと、燃焼運転終了時に起動する燃焼後タイマとを備え、燃焼運転終了後に設定時間経過する前は、凍結予防温度を嵩上げした高い凍結予防温度を採用することにより、燃焼運転終了後に設定時間が経過する前は、凍結防止運転の開始温度即ち嵩上げされた凍結予防温度を採用することにより、燃焼運転終了後に暖房温度サーミスタ１５の冷却に時間がかかる場合でも、速やかに凍結防止運転を開始できる。
また、凍結予防温度を嵩上げした凍結予防温度を採用することで、凍結防止運転に移行し易くなるから、設定時間を短くすることができる。
また、暖房運転終了時にのみ燃焼後タイマを起動させることにより、不必要な凍結防止運転を開始する恐れがない。
【図面の簡単な説明】
【図１】本発明の凍結防止運転のフローチャートである。
【図２】本発明の燃焼後タイマの動作を示すタイムチャートである。
【図３】本発明を適用する温水暖房装置の概略構成図である。
【図４】従来の凍結防止運転のフローチャートである。
【図５】従来の燃焼後タイマの動作を示すタイムチャートである。
【図６】従来の温水暖房装置の概略構成図である。
【符号の説明】
１  給湯器、２  熱交換器、３  暖房往き管路、４  暖房戻り管路
５  循環ポンプ、６  水抜き管、７  膨張タンク、８  燃焼器
１１  燃焼ファン、１４  制御装置、１５  暖房温度サーミスタ
１６  空焚き安全装置、１７  回転数センサ、１８  過熱防止装置
【図１】
0003608022.tif 000002
【図２】
0003608022.tif 000003
【図３】
0003608022.tif 000004
【図４】
0003608022.tif 000005
【図５】
0003608022.tif 000006
【図６】
0003608022.tif 000007